(57)【特許請求の範囲】
【請求項１】
機関本体の外側に配置されると共に複数の電装部品が取り付けられる電装ホルダを備える内燃機関において、
前記電装ホルダは、機関本体(20)に取り付けられたケース(60)と、ケース(60)との間に収納空間(A1)を形成するようにケース(60)に取り付けられたカバー(70)とからなる合成樹脂製の電装箱(A)を備え、 
前記ケース(60)は、前記収納空間(A1)の底壁(61)と周壁(62)を構成し、前記カバー(70)は前記収納空間(A1)の天井壁(71)を構成し、前記底壁(61)からは前記天井壁(71)に向かって複数のボス(64)が一体的に突出形成され、
前記複数のボス(64)の先端部に、金属のステー(80)の端部が締結されることにより、ボス(64)同士は前記ステー(80)により相互に連結され、該ステー(80)は、前記収納空間(A1)内で前記底壁(61)と前記天井壁(71)の間に延在し、
前記ステー(80)の前記天井壁(71)に対向する面には、内燃機関の運転状態を制御するために電気的エンジン部品を制御する電子制御ユニット(52)が取り付けられ、前記ステー(80)の前記底壁(61)に対向する面には、他の電装部品(54,55,56)が取り付けられ、前記ケース(60)の底壁(61)には、前記収納空間(A1)内でさらに他の電装部品(53)が取り付けられ、前記電子制御ユニット(52)、前記他の電装部品(54,55,56)および前記さらに他の電装部品(53)は、前記底壁(61)と前記天井壁(71)の間に積層状態で配置された
ことを特徴とする内燃機関。
【請求項２】
前記他の電装部品(54,55,56)はカプラであることを特徴とする請求項１記載の内燃機関。
【請求項３】
前記さらに他の電装部品(53)はリレーボックスであることを特徴とする請求項１または２記載の内燃機関。
【請求項４】
前記電装箱(A)は、前記機関本体を構成するシリンダブロック(20)とシリンダヘッド(22)とにより形成されて前記積層方向に凹んだ凹部(7)内に配置されることを特徴とする請求項１記載の内燃機関。
【請求項５】
前記他の電装部品であるカプラ(54,55,56)は、前記ステー(80)に設けられた取付部(82)に、弾性変形可能な係合片(59b)によって係合支持されることを特徴とする請求項２記載の内燃機関。
【請求項６】
前記電装箱(A)は、前記機関本体に着脱可能に取り付けられたエンジン部品(91)をその取外し方向から覆うと共に前記機関本体との間に前記取外し方向に直交する方向に開放する作業用空間(S)を形成するように前記機関本体に取り付けられ、前記エンジン部品(91)は前記作業用空間(S)を通じて着脱されることを特徴とする請求項１、２または３記載の内燃機関。
【発明の詳細な説明】
【技術分野】
【０００１】
本発明は、機関本体の外側に配置されると共に複数の電装部品が取り付けられる電装ホルダを備える内燃機関に関し、詳細には、電装ホルダの構造に関する。そして、該内燃機関は例えば船外機に搭載される。
【背景技術】
【０００２】
内燃機関は、点火栓や燃料供給装置に代表されるように、多数の、電気により作動するエンジン部品（以下、「電気的エンジン部品」という。）を備えている。そして、それら電気的エンジン部品に接続される制御ユニットやカプラなどである電装部品については、通常、複数の電装部品が集められて電装ホルダに取り付けられ、該電装ホルダが機関本体の外側に取り付けられる（例えば特許文献１，２参照）。
【特許文献１】特開平１０−１７６５４１号公報
【特許文献２】特開２００１−２６０９８３号公報
【発明の開示】
【発明が解決しようとする課題】
【０００３】
内燃機関が搭載される機械において、内燃機関の運転制御などの電子制御化の進展により、電気的エンジン部品が増加し、それに伴って、該電気的エンジン部品に接続される電装部品の数が増加し、または個々の電装部品が大型化している。しかしながら、機関本体の外側には、吸気装置、冷却装置および潤滑装置などを構成する多数のエンジン部品が配置されるため、内燃機関が例えば船外機など比較的小型の機械に搭載される場合に、複数の電装部品が電装ホルダにおいて平面的に配置されると、電装ホルダが大型化して、電装ホルダを機関本体の外側に配置するためのスペースの確保が困難になる。
また、電装ホルダに取り付けられる電装部品が制御用電装部品である場合、制御用電装部品の発熱により、電装ホルダに取り付けられる他の電装部品がその熱影響を受けにくくしたり、制御用電装部品の良好な放熱性を確保したりするために、該他の電装部品を制御用電装部品から単に平面的に離れるように配置したのでは、やはり電装ホルダが大型化する。
そこで、電装部品が平面的に配置されることによる電装ホルダの大型化を抑えるために、電装ホルダに取り付けられた電装部品の上に他の電装部品を接触させて積層することも考えられる。しかしながら、この場合、次のような電装部品同士の接触に起因する難点が発生する。すなわち、他の電装部品を確実に固定することが困難なために、該他の電装部品が内燃機関の運転により発生する振動の影響を受けやすくなり、また電装部品同士が擦れ合うこともある。また、電装ホルダに制御用電装部品が取り付けられる場合、制御用電装部品に接触する電装部品が熱影響を受けやすくなってその熱対策を講じる必要が生じたり、制御用電装部品の放熱性が低下する。
さらに、制御用電装部品は、その良好な信頼性を確保するために、電装ホルダの変形や内燃機関の運転に起因する振動の影響を受けにくくすることが望ましい。
また、機関本体の外側には、機関本体に取り付けられるエンジン部品でもある電装ホルダよりも小型のエンジン部品（説明の便宜上、「小型エンジン部品」という。）（例えば内燃機関の冷却装置を構成するサーモスタットなど）が着脱可能に取り付けられる。このとき、電装ホルダが、機関本体からの小型エンジン部品の取外し方向で、該小型エンジン部品を覆わないように配置されることで、小型エンジン部品のメンテナンス時における小型エンジン部品の取外しは容易になるものの、機関本体の外側には他にも多数のエンジン部品が配置されることから、電装ホルダを配置するためのスペースの確保が困難になる。
【０００４】
本発明は、このような事情に鑑みてなされたものであり、内燃機関の機関本体の外側において電装ホルダの配置スペースの確保を容易にすることを目的とし、さらに詳細には次のことを目的とする。
本発明は、電装ホルダに取り付けられる複数の電装部品が積層状態で配置されることで得られる電装ホルダの小型化により、電装ホルダの配置スペースの確保を容易にすると共に、各電装部品の確実な保持が可能で、かつ電装部品同士の接触による難点の回避を図ること、電装ホルダを機関本体にコンパクトに配置すること、電装部品のカプラの装着を容易にすること、制御用電装部品が取り付けられた電装ホルダにおいて、制御用電装部品の発熱による他の電装部品への熱影響を抑制すると共に制御用電装部品の良好な放熱性を確保しながら電装ホルダの小型化を可能とすることで、電装ホルダの配置スペースの確保を容易にすること、電装ホルダがエンジン部品をその取外し方向から覆うように配置することにより、電装ホルダの配置スペースの確保を容易にすることを目的とする。
【課題を解決するための手段】
【０００５】
請求項１記載の発明は、機関本体の外側に配置されると共に複数の電装部品が取り付けられる電装ホルダを備える内燃機関において、前記電装ホルダは、機関本体に取り付けられたケースと、ケースとの間に収納空間を形成するようにケースに取り付けられたカバーとからなる合成樹脂製の電装箱を備え、前記ケースは、前記収納空間の底壁と周壁を構成し、前記カバーは前記収納空間の天井壁を構成し、前記底壁からは前記天井壁に向かって複数のボスが一体的に突出形成され、前記複数のボスの先端部に、金属のステーの端部が締結されることにより、ボス同士は前記ステーにより相互に連結され、該ステーは、前記収納空間内で前記底壁と前記天井壁の間に延在し、前記ステーの前記天井壁に対向する面には、内燃機関の運転状態を制御するために電気的エンジン部品を制御する電子制御ユニットが取り付けられ、前記ステーの前記底壁に対向する面には、他の電装部品が取り付けられ、前記ケースの底壁には、前記収納空間内でさらに他の電装部品が取り付けられ、前記電子制御ユニット、前記他の電装部品および前記さらに他の電装部品は、前記底壁と前記天井壁の間に積層状態で配置されたことを特徴とする内燃機関である。
請求項２記載の発明は、請求項１記載の内燃機関において、前記他の電装部品はカプラであることを特徴とする。
請求項３記載の発明は、請求項１または２記載の内燃機関において、前記さらに他の電装部品はリレーボックスであることを特徴とする。
請求項４記載の発明は、請求項１記載の内燃機関において、前記電装箱は、前記機関本体を構成するシリンダブロックとシリンダヘッドとにより形成されて前記積層方向に凹んだ凹部内に配置されることを特徴とする。
請求項５記載の発明は、請求項２記載の内燃機関において、前記他の電装部品であるカプラは、前記ステーに設けられた取付部に、弾性変形可能な係合片によって係合支持されることを特徴とする。
請求項６記載の発明は、請求項１、２または３記載の内燃機関において、前記電装箱は、前記機関本体に着脱可能に取り付けられたエンジン部品をその取外し方向から覆うと共に前記機関本体との間に前記取外し方向に直交する方向に開放する作業用空間を形成するように前記機関本体に取り付けられ、前記エンジン部品は前記作業用空間を通じて着脱されることを特徴とする。
【発明の効果】
【０００６】
請求項１記載の発明によれば、複数の電装部品は、積層方向に間隔をおいて積層状態で（すなわち立体的に）配置されるので、電装ホルダが平面的に（または二次元的に）大型化することが防止されて、電装ホルダが小型化されるため、機関本体の外側において、電装ホルダの配置スペースの確保が容易になり、電装部品同士が接触することも回避される。また、電装部品のうちの電子制御ユニットは、合成樹脂製の電装箱のケース底壁からは天井壁に向かって一体的に突出形成した複数のボスの先端部に、金属のステーの端部を締結し、そのステーの天井壁側の面に取り付けられるから、剛性と強度の高い金属のステーは、合成樹脂製ケースのボスが機関の運転による振動で変形したりその間隔が変化したりするのを防ぐうえに、電子制御ユニットは、機関運転の影響を受けることなく強固に支持されて、その信頼性が向上する。さらに、電子制御ユニット以外の他の電装部品は、電子制御ユニットが取り付けられるステーの背後に取り付けるから、電子制御ユニットの発熱の影響を受けにくくなる。
請求項２、３記載の事項によれば、カプラおよびリレーボックスは、その配置により電子制御ユニットの発熱の影響を受けにくくなる。
請求項４記載の事項によれば、電装箱がシリンダブロックとシリンダヘッドとにより形成される凹部に配置され、しかも該凹部は積層方向に凹んでいることから、電装箱が積層方向に大きくなる場合にも、電装箱が凹部内に配置される分、積層方向で電装箱が機関本体寄りに位置するので、電装箱が積層方向で機関本体にコンパクトに配置される。
請求項５記載の事項によれば、カプラの装着が簡単になる。
請求項６記載の事項によれば、電装箱をエンジン部品と重ならないように配置する必要がないので、該エンジン部品のために電装箱の配置が制約されることがなく、機関本体に対する電装箱の配置スペースの確保が容易になる。しかも、電装箱が機関本体に取り付けられた状態で、電装箱と機関本体とで作業用空間が形成されることにより、メンテナンス時のエンジン部品の着脱時に、電装箱が機関本体に取り付けられた状態で該エンジン部品を着脱することができるので、メンテナンス作業が容易になる。
【発明を実施するための最良の形態】
【０００７】
以下、本発明の実施形態を図１〜図１２を参照して説明する。
図１を参照すると、本発明が適用された内燃機関Ｅが搭載された船外機Ｓは、上下方向に指向する回転中心線Ｌｅを有するクランク軸27を備えるバーチカル機関である内燃機関Ｅと、内燃機関Ｅを支持するマウントケース１と、オイルケース２を介してマウントケース１に結合されるエクステンションケース３と、エクステンションケース３に結合されるギヤケース４と、内燃機関Ｅの下部からエクステンションケース３の上部までの周囲を覆うアンダカバー５と、アンダカバー５に結合されるエンジンカバー６とを備える。
なお、明細書または特許請求の範囲において、上下、前後、左右は、図１，図２に示される上下、前後、左右であり、図１において回転中心線Ｌｅは上下方向に平行である。
【０００８】
船外機Ｓの動力伝達装置は、クランク軸27の下端部に該クランク軸27と一体にかつ同軸に回転するように結合されたフライホイール10を介して連結された駆動軸11と、ギヤケース４内に収納される前後進切換装置12と、プロペラ14が取り付けられた推進軸13とを備える。そして、内燃機関Ｅの動力は、クランク軸27から駆動軸11、前後進切換装置12および推進軸13を経てプロペラ14に伝達されて、プロペラ14が回転駆動される。
船外機Ｓを船体の船尾19に取り付ける取付装置は、マウントケース１およびエクステンションケース３に固定されるスイベル軸15を回動可能に支持するスイベルケース16と、スイベルケース16を回動可能に支持するチルト軸17を保持すると共に船体Ｂの船尾に固定されるブラケット18とを備える。この取付装置により、船外機Ｓは、船体に対してチルト軸17を中心に上下方向に揺動可能であると共に、スイベル軸15を中心に左右方向に揺動可能である。
【０００９】
併せて図２，図３を参照すると、船外機Ｓに搭載された多気筒４ストローク内燃機関である内燃機関Ｅは、上下方向に直列に並んで一体成形された複数の、この実施形態では４つのシリンダ20ａから構成されるシリンダブロック20と、シリンダブロック20の前端部に結合されるクランクケース21と、シリンダブロック20の後端部に結合されるシリンダヘッド22と、シリンダヘッド22の後端部に結合されるヘッドカバー23と、後述する伝動ケース44とから構成される機関本体（以下、「機関本体」という。）を備える。
【００１０】
各シリンダ20ａに往復動可能に嵌合するピストン25は、シリンダブロック20およびクランクケース21に回転可能に支持されるクランク軸27にコンロッド26を介して連結される。シリンダヘッド22には、各シリンダ20ａ毎に、シリンダ軸線Ｌｃの方向（以下、「シリンダ軸線方向」という。この実施形態では前後方向に一致する。）でピストン25に対向する燃焼室30と、各燃焼室30に開口する吸気ポート31および排気ポート32とが設けられ、さらに各燃焼室30に臨む点火栓29が装着される。点火栓29は、点火コイルが一体化された点火コイル一体型点火栓である。また、内燃機関Ｅの出力軸としてのクランク軸27は、シリンダブロック20においてピストン25が嵌合するシリンダ部20ｂよりもシリンダ軸線方向でクランクケース21寄りの部分であるスカート部20ｃと、クランクケース21とにより形成されるクランク室28に収納される。
【００１１】
各シリンダ20ａのシリンダ軸線Ｌｃは、クランク軸27の回転中心線Ｌｅに対して、ピストン25の上死点からのクランク軸27の回転方向側に、換言すれば内燃機関Ｅの吸気側に、所定のオフセット量δでオフセットしている（図２参照）。すなわち、シリンダ軸線Ｌｃは、平面視で回転中心線Ｌｅを含むと共にシリンダ軸線Ｌｃに平行な直線に対してオフセット量δに等しい距離だけ、内燃機関Ｅの吸気側に離れている。そして、該直線は、この実施形態では、平面視で、船外機Ｓにおける左右方向での中心線である船外機中心線Ｌｏ、すなわち平面視で、駆動軸11の回転中心線（この実施形態では、回転中心線Ｌｅと一致する。）を通り前後方向に平行な直線に一致する。
ここで、内燃機関Ｅの吸気側（以下、「吸気側」という。）とは、機関本体が、船外機中心線Ｌｏにより吸気ポート31が位置する側と後述する排気集合通路37が位置する側とに二分されたとき、船外機中心線Ｌｏに対して吸気ポート31が位置する側であり、また内燃機関Ｅの排気側（以下、「排気側」という。）とは、船外機中心線Ｌｏに対して排気集合通路37が位置する側である。また、平面視とは、回転中心線Ｌｅの方向から見ることでもある。
【００１２】
さらに、シリンダヘッド22には、シリンダ20ａ毎に、吸気ポート31および排気ポート32をそれぞれ開閉する吸気弁35および排気弁36が設けられる。吸気弁35および排気弁36は、シリンダヘッド22とヘッドカバー23とにより形成される動弁室41内に収納される頭上カム軸型の動弁装置42により駆動されてクランク軸27の回転に同期して開閉動作する。動弁装置42は、ベルト43ａを備える巻掛け伝動機構43（図１参照）を介して伝達されるクランク軸27の動力により回転駆動されるカム軸42ａと、カム軸42ａの動弁カム42ｂにより駆動されて揺動する吸気ロッカアーム42ｃおよび排気ロッカアーム42ｄとを備える。そして、吸気弁35および排気弁36は、それぞれ吸気ロッカアーム42ｃおよび排気ロッカアーム42ｄを介して動弁カム42ｂにより駆動されて開閉動作を行う。伝動機構43は、シリンダブロック20、クランクケース21、シリンダヘッド22およびヘッドカバー23の上端部に跨って結合される伝動ケース44により上方から覆われる。
【００１３】
内燃機関Ｅは、さらに、吸入空気を燃焼室に導く吸気装置45をはじめ、機関本体の外側に配置されたり、または取り付けられたりする各種のエンジン部品を備える。
吸気装置45は、空気取入口が設けられた吸気消音器45ａと、クランクケース21の前方に配置されると共に吸気消音器45ａからの吸入空気が流入するスロットルボディ45ｂと、スロットルボディ45ｂに設けられるスロットル弁45ｃにより計量された吸入空気を吸気ポート31に導く吸気管としての吸気マニホルド45ｄとから構成される。
前記エンジン部品は電気的エンジン部品（すなわち電気により作動するエンジン部品）を含み、該電気的エンジン部品には、燃料供給装置を構成する燃料噴射弁46および該燃料噴射弁46に燃料を圧送する燃料ポンプや、点火装置を構成する点火栓29および前記点火コイルや、始動装置を構成するスタータモータ50などが含まれる。
【００１４】
そして、吸気装置45により形成される吸気通路を流れる吸入空気は、シリンダヘッド22に取り付けられる燃料噴射弁46から供給される燃料と混合して混合気を形成し、該混合気が吸気ポート31を経て燃焼室30に吸入される。燃焼室30で点火栓29により点火された混合気が燃焼して発生した燃焼ガスの圧力により駆動されて往復運動するピストン25は、コンロッド26を介してクランク軸27を回転駆動する。
燃焼ガスは、排気ガスとして、燃焼室30から、排気ポート32を経て排気集合通路37に流出し、排気集合通路37の排気ガスは、シリンダブロック20に設けられた排気通路38を通った後、さらにマウントケース１内に設けられる通路39ａ、排気管により形成される通路39ｂおよび膨張室39ｃなどから構成される排気案内通路39を通ってプロペラ14のボス部に設けられた通路39ｅから水中に排出される。
【００１５】
各燃焼室30の排気ガスが排気ポート32を経て集合する排気集合通路37は、排気側において、シリンダヘッド22に一体成形された通路壁より形成される。そして、排気集合通路37およびヘッド側水ジャケットＪｈが設けられた通路壁は、シリンダ軸線方向で、シリンダヘッド22のシリンダブロック20との結合面22ｃよりもヘッドカバー23寄りに設けられる。さらに、排気側には、側面視でＬ字状（図３参照）に屈曲した排気通路38がシリンダブロック20の下端部に設けられる。排気通路38は、入口で結合面22ｃにて排気集合通路37の排気出口に連通し、出口でマウントケース１に設けられた通路39ａ（図１参照）に連通する。そして、排気ガスが流通するこれら通路37，38，39を形成する部材により、排気装置が構成される。ここで、側面視とは、平面視でシリンダ軸線Ｌｃに直交する方向である側方向から見ることであり、該側方向は、この実施形態では左右方向に一致する。
【００１６】
図２〜図４を参照すると、内燃機関Ｅは、内燃機関Ｅの運転状態を制御するために電気的エンジン部品を制御する電子制御ユニット（以下、「ＥＣＵ」という。）52、ＥＣＵ52用、前記燃料ポンプ用およびスタータモータ50用などの各電源リレーが集約されて収納されたリレーボックス53、各種電線同士を接続するカプラ54，55，56、および、ヒューズボックス51などである多数の電装部品と、複数の電装部品、この実施形態では、少なくとも、ＥＣＵ52、リレーボックス53および複数のカプラ54，55，56が取り付けられる電装ホルダとしての電装箱Ａとを備える。
【００１７】
側方向でシリンダブロック20の外側であるシリンダブロック20の側方に配置される電装箱Ａは、シリンダブロック20のスカート部20ｃとシリンダヘッド22とにより形成される凹部７内に配置される。凹部７は、シリンダ部20ｂに対して側方向での一方側である右側に形成されて側方向に凹んでいる。スタータモータ50およびヒューズボックス51は、電装箱Ａの下方に配置される。そして、スタータモータ50は、そのピニオン50ｂを軸方向に進退させてフライホイール10の外周部に設けられたリングギヤ10ａとの噛合および噛合解除を行うためのマグネットスイッチ部50ｃを含めて、その全体が平面視で電装箱Ａと重なる位置にある。また、ヒューズボックス51は、排気通路38が形成された部分に右方に突出して設けられる膨出部20ｅと電装箱Ａとの間に上下方向で挟まれて形成される空間に配置される。
【００１８】
図２，図４〜図６を参照すると、上下方向でシリンダブロック20の上部（図３も参照）に、かつシリンダブロック20の側壁20ｄに取り付けられる電装箱Ａは、排気側において、平面視で排気通路38と重なる位置にある。しかも、電装箱Ａは、シリンダ軸線方向において、後方のシリンダヘッド22と前方の吸気消音器45ａとの間で、かつ、シリンダヘッド22側での端部が結合面22ｃの近傍に位置し、クランクケース21側での端部が回転中心線Ｌｅの近傍に位置する。したがって、電装箱Ａは、上死点にあるピストン25（図２に実線で示される。）および下死点にあるピストン25（図２に二点鎖線で示される。）と、シリンダ軸線方向で重なる位置にある。そして、吸気消音器45ａは、電装箱Ａがシリンダヘッド22寄りに配置されることにより回転中心線Ｌｅの近傍から前方に形成されるスペースに配置されるので、容量が大きい吸気消音器45ａを使用することが可能になって、船外機Ｓをシリンダ軸線方向でコンパクトにしながら、消音性能を高めることができる。
【００１９】
図４〜図８を参照すると、電装箱Ａは、シリンダブロック20および伝動ケース44にボルトＢ１により取り付けられる第１部材としてのケース60と、爪60ａおよびフック70ａを有する係合構造により着脱可能に結合される第２部材としてのカバー70とから構成される箱状の本体と、ケース60に設けられる付属部材としてのステー80とを備える。合成樹脂材料によりそれぞれ一体成形されたケース60およびカバー70は、ＥＣＵ52、リレーボックス53および各カプラ54，55，56が収納される収納空間Ａ１を形成し、ステー80は、前記本体内、すなわち収納空間Ａ１に配置される。
【００２０】
ケース60は、側方向でシリンダブロック20に対面する底壁61と、側方向で底壁61から後述するカバー70に向かって延びて形成された周壁62とを有する。周壁62は、底壁61の周縁部のほぼ全周を渡って設けられる。
カバー70は、側方向で底壁61に対面する天井壁71と、側方向で天井壁71の周縁部からケース60に向かって延びて周壁62の端部62ａを周方向で外側から覆うように形成された周壁72とを有する。天井壁71には、多数の孔71ａがほぼ全面にほぼ均等に分布して設けられ（図３にはその一部が示されている。）、該孔71ａを通じて、収納空間Ａ１と外部との間の換気および電装箱Ａ内のＥＣＵ52などの電装部品からの放熱が行われる。
ここで、底壁61、天井壁71、周壁62，72，は収納空間Ａ１の外壁を構成する。
【００２１】
底壁61には、シリンダブロック20の３つの取付座20d1，20d2，20d3および伝動ケース44の１つの取付座44ｄにそれぞれボルトＢ１で結合される４つの柱状の結合部６３１，６３２，６３３，６３４と、ステー80が取り付けられるボス64とが設けられる。図９を併せて参照すると、ケース60は、各結合部６３１，６３２，６３３，６３４において同一構造のダンパ68を介して取付座20d1，20d2，20d3，44ｄに取り付けられる。結合部６３１，６３２，６３３，６３４に嵌合される筒状のダンパ68は、ボルトＢ１が挿通される円柱部68ａと、円筒部68ａの両端部にそれぞれ設けられたフランジ部68ｂ，68ｃとがゴム材により一体成形された部材である。各フランジ部68ｂ，68ｃには、接触部としての複数の球状の突出部68ｄが周方向に間隔をおいて設けられ、フランジ部68ｂの突出部68ｄは座金69ａに、別のフランジ部68ｃの突出部68ｄはダンパ68の潰れ度合いを規定するために座金69ａと各取付座20d1，20d2，20d3，44ｄとの間の間隔を規定するカラー69ｂに、それぞれボルトＢ１の締付方向で、弾性変形した状態で接触する。このダンパ68は、内燃機関Ｅの運転により発生する振動がケース60に伝達されるのを減少させるため、前記本体およびステー80、さらには電装箱Ａに取り付けられたリレーボックス53、各カプラ54，55，56およびＥＣＵ52の振動が低減して、それら電装部品の信頼性の向上に寄与する。そして、ダンパ68を形成するゴム材の種類や硬度などの材質またはダンパ68の形状は、振動低減の観点から最適となるように選択または設定される。
【００２２】
図４〜図８を参照すると、電装箱Ａ内または収納空間Ａ１には、ＥＣＵ52、リレーボックス53および各カプラ54，55，56が積層状態で配置され、この実施形態では、リレーボックス53および各カプラ54，55，56に対してＥＣＵ52が積層方向（この実施形態では、積層方向は側方向に平行な方向である。）に積層されて配置される。それゆえ、積層方向から見て、リレーボックス53および各カプラ54，55，56と、ＥＣＵ52が重なる位置にある。そして、電装箱Ａは、積層方向に間隔をおいて設けられる３つの部材、すなわち、底壁61と、天井壁71と、底壁61と天井壁71との間に配置される中間壁としてのステー80とを有する。このため、収納空間Ａ１は、積層方向で、ステー80により、底壁61とステー80との間に形成される第１配置空間Ａ1aと、ステー80と天井壁71との間に形成される第２配置空間Ａ1bに分けられる。
【００２３】
収納空間Ａ１において、リレーボックス53および各カプラ54，55，56は第１配置空間Ａ1aに配置され、ＥＣＵ52は第２配置空間Ａ1bに配置され、かつＥＣＵ52、リレーボックス53および各カプラ54，55，56は互いに接触していない。リレーボックス53は、底壁61にボルトＢ２により取り付けられ、ＥＣＵ52および各カプラ54，55，56は、金属製のステー80に設けられた取付部81，82にそれぞれ取り付けられる。それゆえ、この実施形態において、底壁61およびステー80は、電装箱Ａにおいて、リレーボックス53、ＥＣＵ52および各カプラ54，55，56を保持する保持部を構成する。そして、図８に示されるように、積層方向で、リレーボックス53と各カプラ54，55，56は重なるように配置されることにより、積層方向で電装箱Ａが小型化される。
【００２４】
図４，図５，図７，図８，図１０を参照すると、板状のステー80には、ＥＣＵ52の１対の結合部52ａがボルトＢ３により結合される１対の取付部81と、各カプラ54，55，56の結合部59が同一の係合構造により着脱可能に結合される取付部82とが一体成形されて設けられ、さらに上下方向に延びているステー80の長手方向での曲げ剛性を高めるための補強部としての突条部83が、１対の取付部81の間隔にほぼ等しい長さに渡って設けられる。底壁61に向かって凸形状に形成される突条部83はプレス加工により形成される。図１１を併せて参照すると、前記係合構造は、舌状に突出する突出部からなるフック部としての取付部82と、カプラ54，55，56の結合部59に設けられると共に取付部82が挿入される貫通孔59ａ内に配置されて弾性により可撓可能な係合片59ｂとから構成される。そして、取付部82が結合部59に挿入される過程で、係合片59ｂに設けられた爪部59ｃを押圧して係合片59ｂを弾性変形させ、爪部59ｃが取付部82の孔82ｃに嵌ることで、ステー80にカプラ54，55，56が取り付けられる。
そして、図４に示されるように、ＥＣＵ52の接続部52ｃに接続される電線57ａ、リレーボックス53に接続される電線57ｂおよび各カプラ54，55，56に接続される電線57ｃが、周壁62，72に設けられた電線取出口Ａ２（図５，図６も参照）を通じて電装箱Ａの外部に取り出されて、電気的エンジン部品に接続される。
【００２５】
図４，図５，図７，図８を参照すると、底壁61から天井壁71に向かって積層方向に突出する複数、この実施形態では１対のボス64は、底壁61に一体成形されて設けられ、カプラ54，55，56およびリレーボックス53を挟んで上下方向に間隔をおいて配置される。ステー80は各取付部81において、積層方向でリレーボックス53および各カプラ54，55，56よりも天井壁71寄りで、各ボス64の先端部に結合される。それゆえ、両ボス64は、収納空間Ａ１に配置されるＥＣＵ52、リレーボックス53およびカプラ54，55，56が積層状態で配置されることを可能とするために、それら電装部品のうちの１つの特定電装部品であって制御回路を有する制御用電装部品としてのＥＣＵ52を、積層方向で他の電装部品であるリレーボックス53およびカプラ54，55，56よりも天井壁71寄りに配置するためのものである。
【００２６】
そして、１対のボス64には、ＥＣＵ52がステー80と共にボルトＢ３により結合されることで、該１対のボス64は、ＥＣＵ52に沿ってかつＥＣＵ52に接触して延びている連結部としてのステー80により互いに連結されることになる。このため、ステー80を支持する支持部でもある１対のボス64は、ＥＣＵ52が結合される取付部として機能するとき、ステー80を介して連結され、しかもステー80がケース60の形成材料に比べて強度が大きい材料である金属により形成されることで、このステー80により、１対のボス64の間の上下方向での間隔が変化するのが防止される。したがって、ステー80は、各ボス64の剛性を高める補強部材でもある。さらに、ステー80は、ＥＣＵ52が発生する熱の放熱を促進するヒートシンクとしても機能する。
【００２７】
一般に、エンジン部品でもある電装箱Ａよりも小型のエンジン部品（すなわち小型エンジン部品。この実施形態ではサーモスタット91（図４，図５参照）が相当する。）がシリンダブロック20に着脱可能に取り付けられるとき、電装箱Ａが配置されるスペースの確保を容易にするために、電装箱Ａが小型エンジン部品をその外側から覆うように配置されると、該小型エンジン部品のメンテナンス時には、電装箱Ａを取り外す必要があって、小型エンジン部品のメンテナンス作業に手間がかかる。そこで、この実施形態では電装箱Ａにより後述する作業用空間Ｓが形成される。
【００２８】
具体的には、図４〜図６，図１２を参照すると、側方向（または積層方向）から見て、シリンダブロック20に取り付けられるエンジン部品としての電装箱Ａは、シリンダブロック20に着脱可能に取り付けられると共に電装箱Ａよりも小型のエンジン部品としてのブロック側サーモスタット91をその取外し方向から覆うと共に機関本体との間に取外し方向に直交する方向としての上方に開放する作業用空間Ｓを形成するようにシリンダブロック20に取り付けられる。なお、取外し方向は側方向に平行である。また、この実施形態では、シリンダヘッド22に設けられるヘッド側水ジャケットＪｈの冷却水の流れは、シリンダヘッド22に着脱可能に取り付けられるヘッド側サーモスタット92（図３参照）により制御される。
【００２９】
シリンダブロック20に設けられて各シリンダ20ａを囲むブロック側水ジャケットＪｂ（図２参照）の下流側の水通路93に配置されるサーモスタット91は、感温部材により作動する弁本体91ａと、弁本体91ａをシリンダブロック20の段部に押圧して固定すると共に弁本体91ａが挿入される水通路93を密封するサーモスタットカバー91ｂとから構成される。上方から見て、作業用空間Ｓに露出した位置にあるサーモスタットカバー91ｂは、側方向に平行な方向であるねじ込み方向にねじ込まれる１対のボルトＢ４によりシリンダヘッド22に結合される。
【００３０】
そして、ケース60の底壁61には、サーモスタット91を取外し方向から覆う覆い部65と、サーモスタット91およびボルトＢ４よりも下方に位置して取り外されたボルトＢ４およびサーモスタット91が載置され得る受け部66とが一体成形されて設けられる。そして、作業用空間Ｓは、側方向での両側にそれぞれ位置するシリンダブロック20および覆い部65と、上下方向での下方に位置する受け部66と、シリンダ軸線方向での両側にそれぞれ位置するシリンダブロック20の突出部およびシリンダヘッド22とにより形成される。
【００３１】
覆い部65は、底壁61の一部が積層方向でシリンダブロック20から離れる方向（取外し方向でもある。）に盛り上がって形成される隆起部により構成される。そして、電装箱Ａがシリンダブロック20に取り付けられた状態で、覆い部65と、シリンダブロック20におけるサーモスタット91の取付部20ｆとの間には、サーモスタットカバー91ｂおよび弁本体91ａの取外しが可能となる間隔（作業用空間Ｓの幅）が形成されている。さらに、覆い部65には、各ボルトＢ４のねじ込みおよび抜取りを可能とする１対の貫通孔65ａと、シリンダブロック20から取り外されたサーモスタットカバー91ｂを上方に向かって案内する傾斜壁からなる案内壁65ｂとが設けられる。このように、覆い部65が前記隆起部により構成されることにより、作業用空間Ｓは、ケース60において、取外し方向に凹んだ凹部を利用して形成される。
また、覆い部65の下端部に連なる位置に設けられる受け部66は、覆い部65から積層方向でシリンダブロック20に向かって突出する棚状に形成され、さらに下方に向かって凹んだ形状とされている。
【００３２】
そして、サーモスタット91のメンテナンス時に、サーモスタット91の着脱は、例えば次のように行われる。
まず、貫通孔65ａを通じて挿入される工具によりボルトＢ４が緩められて、サーモスタットカバー91ｂがシリンダブロック20から取り外される。このとき、ボルトＢ４およびサーモスタットカバー91ｂを一時的に受け部66に載置することができる。このため、引き抜かれたボルトＢ４および取り外されたサーモスタットカバー91ｂが落下することが受け部66により防止される。
次いで、ボルトＢ４が貫通孔65ａを通じて作業用空間Ｓから引き抜かれた後に、サーモスタットカバー91ｂを取外し方向に移動させることにより、サーモスタットカバー91ｂは案内壁65ｂにより案内されて上方に向かって移動し、（図６の二点鎖線で示されるサーモスタットカバー91ｂ参照。）、作業用空間Ｓから上方に取り出される。このように、サーモスタットカバー91ｂが案内壁65ｂにより上方に向かって移動するように案内されるので、作業用空間Ｓからのサーモスタットカバー91ｂの取出が容易になる。
その後、弁本体91ａがシリンダブロック20から取外し方向に引き出された後、作業用空間Ｓにおいて受け部66に一時的に載置される（図１２（Ｄ）参照）。それゆえ、受け部66により引き抜かれた弁本体91ａが落下することが防止される。また、このとき、弁本体91ａは下方に凹んでいる受け部66の最下部に安定した状態で載置される。その後に、弁本体91ａが作業用空間Ｓから上方に取り出される。
また、サーモスタット91をシリンダブロック20に取り付けるときには、前述とは逆の手順により、弁本体91ａおよびサーモスタットカバー91ｂが順次シリンダブロック20に取り付けられる。このようにして、サーモスタット91が作業用空間Ｓを通じてサーモスタット91が着脱される。
【００３３】
次に、前述のように構成された実施形態の作用および効果について説明する。
電装箱Ａにはリレーボックス53および各カプラ54，55，56とＥＣＵ52とが積層状態で配置され、電装箱Ａは、リレーボックス53および各カプラ54，55，56とＥＣＵ52との積層方向に間隔をおいて設けられる複数の保持部としての底壁61およびステー80を有し、底壁61およびステー80には、それぞれ１以上の電装部品であるリレーボックス53と、各カプラ54，55，56およびＥＣＵ52とが取り付けられることにより、リレーボックス53、各カプラ54，55，56およびＥＣＵ52は、積層方向に間隔をおいて設けられた底壁61およびステー80にそれぞれ分けられて取り付けられて、積層状態で（すなわち立体的に）配置されるので、電装箱Ａが積層方向から見て平面的に（または二次元的に）大型化することが防止されて、電装箱Ａが小型化されるため、シリンダブロック20の外側において、電装箱Ａの配置スペースの確保が容易になる。しかも、リレーボックス53と、各カプラ54，55，56およびＥＣＵ52とは、底壁61およびステー80にそれぞれ取り付けられるので、リレーボックス53、各カプラ54，55，56およびＥＣＵ52が電装箱Ａに確実に保持され、しかもそれら電装部品同士が接触することも回避されて、内燃機関Ｅの振動に起因するリレーボックス53、各カプラ54，55，56およびＥＣＵ52の振動が抑制され、それら電装部品同士の接触による難点、例えば電装部品同士が擦れ合ったり、リレーボックス53や各カプラ54，55，56がＥＣＵ52の発熱による熱影響を受けたり、ＥＣＵ52の放熱性が低下するといったことが、解消または抑制される。
【００３４】
電装箱Ａは、ケース60およびカバー70から構成される箱状の前記本体と、前記本体に設けられるステー80とを備え、ケース60にリレーボックス53が保持され、ステー80に各カプラ54，55，56およびＥＣＵ52が保持されることにより、箱状の前記本体自体であるケース60にリレーボックス53が保持されるので、ケース60およびカバー70に電装部品が取り付けられない電装箱に比べて、前記本体が小型化される。
【００３５】
前記本体は、リレーボックス53、各カプラ54，55，56およびＥＣＵ52が収納される収納空間Ａ１を形成し、ステー80は収納空間Ａ１に配置されることにより、ステー80が箱状の前記本体内に配置されるため、前記本体により形成される収納空間Ａ１を、リレーボックス53、各カプラ54，55，56およびＥＣＵ52の配置のために効率よく使用することができるので、電装箱Ａの小型化に寄与する。
【００３６】
電装箱Ａは、機関本体を構成するシリンダブロック20とシリンダヘッド22とにより形成されて積層方向に凹んだ凹部７内に配置される。これにより、電装箱Ａが凹部７に配置され、しかも該凹部７は積層方向に凹んでいることから、電装箱Ａが積層方向に大きくなる場合にも、電装箱Ａが凹部７内に配置される分、積層方向で電装箱Ａが機関本体寄りに位置するので、電装箱Ａが積層方向で機関本体にコンパクトに配置される。
【００３７】
さらに、シリンダ軸線Ｌｃが吸気側にオフセットしているために、シリンダ軸線Ｌｃがオフセットしていない場合に比べて、凹部７は吸気側により深い凹部となることから、シリンダ軸線Ｌｃがオフセットする分、該凹部７内に配置される電装箱Ａを左右方向で船外機中心線Ｌｏにより近接させて配置できるので、左右方向で船外機Ｓがコンパクトになる。
【００３８】
電装箱Ａには制御用電装部品であるＥＣＵ52が取り付けられる１対のボス64が、電装箱Ａの底壁61から突出して設けられ、１対のボス64は、ＥＣＵ52に沿って架設されたステー80により互いに連結されることにより、ＥＣＵ52は底壁61から突出している１対のボス64に取り付けられるので、ＥＣＵ52が他の電装部品と一緒に電装箱Ａの底壁61に平面的に配置される場合に比べて、ボス64が底壁61に対して突出していることで、ＥＣＵ52の発熱による他の電装部品であるリレーボックス53および各カプラ54，55，56への熱影響を抑制すると共にＥＣＵ52の良好な放熱性を確保しながら電装箱Ａを小型化することができ、電装箱Ａの配置スペースの確保が容易になる。しかも、１対のボス64は架設されたステー80により互いに連結されることで各ボス64の剛性が増大するので、内燃機関Ｅの運転により発生する振動などに起因して突出している各ボス64に変形が生じて両ボス64間の間隔が変化することが防止されて、ＥＣＵ52に変形が発生することが防止され、さらに内燃機関Ｅの運転に起因するＥＣＵ52の振動が抑制されて、ＥＣＵ52の信頼性の向上に寄与する。
【００３９】
電装箱Ａは、シリンダブロック20に着脱可能に取り付けられたサーモスタット91をその取外し方向から覆うと共にシリンダブロック20との間に取外し方向に直交する方向に開放する作業用空間Ｓを形成するようにシリンダブロック20に取り付けられ、サーモスタット91は作業用空間Ｓを通じて着脱されることにより、電装箱Ａをサーモスタット91と重ならないように配置する必要がないので、サーモスタット91のために電装箱Ａの配置が制約されることがなく、シリンダブロック20に対する電装箱Ａの配置スペースの確保が容易になる。しかも、電装箱Ａがシリンダブロック20に取り付けられた状態で、電装箱Ａとシリンダブロック20とで作業用空間Ｓが形成されることにより、メンテナンス時のサーモスタット91の着脱時に、電装箱Ａがシリンダブロック20に取り付けられた状態でサーモスタット91を着脱することができるので、メンテナンス作業が容易になる。
【００４０】
作業用空間Ｓの下部に受け部66が設けられることにより、該受け部66により、取り外されたボルトＢ４およびサーモスタット91の落下が防止され、さらに受け部66にボルトＢ４およびサーモスタット91を一時的に載置することができるので、サーモスタット91を取り外すときの作業用空間ＳからのボルトＢ４およびサーモスタット91の取出し、そしてサーモスタット91をシリンダブロック20に取り付けるときの取付け作業が容易になる。
【００４１】
以下、前述した実施形態の一部の構成を変更した実施形態について、変更した構成に関して説明する。
前記小型エンジン部品は、冷却水の通路に配置されるアノードメタルやリリーフ弁などの冷却装置を構成するエンジン部品であってもよく、さらに冷却装置以外の装置を構成するエンジン部品、例えば内燃機関の運転状態を検出する検出器であってもよい。
電装箱Ａにおいて、天井壁71が保持部を構成するように、底壁61およびステー80に加えて天井壁71に電装部品が取り付けられてもよい。
ボス64は３以上設けられ、ステー80はそれら３以上のボス64にそれぞれ結合される取付部を有していてもよい。
内燃機関は、船外機以外の機械、例えば乗り物または作業機に搭載されてもよい。
【図面の簡単な説明】
【００４２】
【図１】本発明が適用された内燃機関が搭載された船外機の概略右側面図である。
【図２】図１の概略ＩＩ−ＩＩ線での要部の部分断面図であり、電装箱の平面図である。
【図３】図１の内燃機関の要部右側面図である。
【図４】図３の電装箱のカバーを外したときの電装箱の要部右側面図である。
【図５】図２の電装箱を中心とした要部平面図である。
【図６】図５のＶＩ矢視での要部の図である。
【図７】図４の概略ＶＩＩ−ＶＩＩ線での要部の断面図である。
【図８】図４の概略ＶＩＩＩ−ＶＩＩＩ線での要部の断面図である。
【図９】図４のＩＸ−ＩＸ線での断面図である。
【図１０】図４の電装箱のステーの側面図である。
【図１１】図４のＸＩ−ＸＩ線での要部断面図である。
【図１２】（Ａ）は、図４の電装箱のケースの覆い部付近の拡大図であり、（Ｂ）は、図５のＸＩＩ−ＸＩＩ矢視での覆い部付近の図であり、（Ｃ）は、（Ａ）の概略Ｃ−Ｃ線断面図であり、（Ｄ）は、サーモスタットの弁本体を取り外したときの、（Ｃ）に相当する図である。
【符号の説明】
【００４３】
20…シリンダブロック、22…シリンダヘッド、46…燃料噴射弁、50…スタータモータ、51…ヒューズボックス、52…ＥＣＵ、53…リレーボックス、54，55，56…カプラ、60…ケース、61…底壁、64…ボス、65…覆い部、66…受け部、70…カバー、71…天井壁、80…ステー、81，82…取付部、91…サーモスタット、
Ｓ…船外機、Ｅ…内燃機関、Ａ…電装箱、Ａ１…収納空間、Ｓ…作業用空間。
【図１】
0004785624.tif 000002
【図２】
0004785624.tif 000003
【図３】
0004785624.tif 000004
【図４】
0004785624.tif 000005
【図５】
0004785624.tif 000006
【図６】
0004785624.tif 000007
【図７】
0004785624.tif 000008
【図８】
0004785624.tif 000009
【図９】
0004785624.tif 000010
【図１０】
0004785624.tif 000011
【図１１】
0004785624.tif 000012
【図１２】
0004785624.tif 000013